(57)【特許請求の範囲】
【請求項１】
携帯電話機を特定するための携帯電話機特定情報が当該携帯電話機から接続管理サーバに送信される第１ステップと、
前記第１ステップにて前記接続管理サーバに受信された前記携帯電話機特定情報に基づいて、当該携帯電話機特定情報に対応して予め保持された通信ネットワーク上の接続先アドレス情報が読み出されることによって、クライアント端末が前記携帯電話機を経由して接続可能な記憶領域を有するホストコンピュータが前記接続管理サーバにより特定される第２ステップと、
前記第２ステップにて特定されたホストコンピュータの第１の接続先アドレス情報が前記接続管理サーバから前記携帯電話機に送信される第３ステップと、
前記携帯電話機と前記クライアント端末の間で確立された近距離通信手段を通じて、前記携帯電話機の第２の接続先アドレス情報が当該携帯電話機から前記クライアント端末に送信される第６ステップと、
前記第３ステップにて前記携帯電話機に受信された前記第１の接続先アドレス情報及び前記第６ステップにて前記クライアント端末に受信された前記第２の接続先アドレス情報を元に、前記クライアント端末と前記ホストコンピュータとが前記携帯電話機を経由して前記通信ネットワーク上で接続される第７ステップとを備えることを特徴とする通信方法。
【請求項２】
自己の携帯電話機を特定するための携帯電話機特定情報を接続管理サーバに送信する第１送信手段と、
クライアント端末の接続可能な記憶領域を有するホストコンピュータの通信ネットワーク上における第１の接続先アドレス情報を前記接続管理サーバから受信する第１受信手段と、
自己の携帯電話機と前記クライアント端末との間で確立された近距離通信手段を通じて、自己の携帯電話機の前記通信ネットワーク上における第２の接続先アドレス情報を前記クライアント端末に送信する第３送信手段と、
前記第３送信手段が送信した第２の接続先アドレス情報に基づいて前記クライアント端末から送信されたデータを、前記第１受信手段が受信した前記第１の接続先アドレス情報に基づいて前記ホストコンピュータに転送する転送手段とを備えることを特徴とする携帯電話機。
【発明の詳細な説明】
【技術分野】
【０００１】
本発明は、通信方法、接続管理サーバ及び携帯電話機に関するものである。
【背景技術】
【０００２】
昨今、通信技術の発達及び機器の小型化等に伴い、固定された場所以外の場所からも、遠隔に位置する他のコンピュータに接続するという、いわゆるモバイルコンピューティング（Ｍｏｂｉｌｅ  Ｃｏｍｐｕｔｉｎｇ）が知られている。このようなモバイルコンピューティングにおいては、ホスト側の通信装置とクライアント側の通信端末とが必要となる（例えば、特許文献１を参照）。ここで、内部に記憶領域を備えておらず入出力装置のみを備えるという、いわゆるシンクライアント端末が、クライアント側の通信端末として用いられる場合もある。
【特許文献１】特開２００３−２２２２７号公報
【発明の開示】
【発明が解決しようとする課題】
【０００３】
クライアント側の通信端末としてシンクライアント端末を用いる場合には、例えば低価格で通信システムを構築することができるといった長所がある。ところが、ホストコンピュータから遠隔に位置するシンクライアント端末は内部に記憶領域を備えていないため、例えばユーザがシンクライアント端末を通じてホストコンピュータに接続するときに当該ホストコンピュータの通信ネットワーク上における接続先アドレスをいちいち入力しなければいけない場合があり、利便性が低いといった短所がある。この利便性を高めるために、例えば記憶領域をシンクライアント端末に設けると、万が一当該シンクライアント端末が紛失または盗難されたときに、上記記憶領域内に保存してある様々な情報が外部に漏れてしまう可能性がある。
【０００４】
そこで、本発明は上記に鑑みてなされたもので、内部に記憶領域を有しておらずホストコンピュータから遠隔に位置するシンクライアント端末を通じて当該ホストコンピュータに接続するときの利便性を高める通信方法、接続管理サーバ及び携帯電話機を提供することを目的とする。
【課題を解決するための手段】
【０００５】
上記課題を解決するために、本発明の通信方法は、携帯電話機を特定するための携帯電話機特定情報が当該携帯電話機から接続管理サーバに送信される第１ステップと、第１ステップにて接続管理サーバに受信された携帯電話機特定情報に基づいて、当該携帯電話機特定情報に対応して予め保持された通信ネットワーク上の接続先アドレス情報が読み出されることによって、クライアント端末の接続可能な記憶領域を有するホストコンピュータが接続管理サーバにより特定される第２ステップと、第２ステップにて特定されたホストコンピュータの接続先アドレス情報が接続管理サーバから携帯電話機に送信される第３ステップと、携帯電話機とクライアント端末の間で確立された近距離通信手段を通じて、第３ステップにて携帯電話機に受信された接続先アドレス情報が携帯電話機からクライアント端末に送信される第４ステップと、第４ステップにてクライアント端末に受信された接続先アドレス情報を元に、クライアント端末とホストコンピュータとが通信ネットワーク上で接続される第５ステップとを備える。
【０００６】
このとき、接続管理サーバは、クライアント端末の接続可能な記憶領域を有するホストコンピュータの通信ネットワーク上の接続先アドレス情報を、携帯電話機を特定するための携帯電話機特定情報に対応して予め保持する格納手段と、携帯電話機特定情報を携帯電話機から受信する受信手段と、受信手段が受信した携帯電話機特定情報に基づいて格納手段に保持された接続先アドレス情報を読み出すことによって、ホストコンピュータを特定する特定手段と、特定手段が特定したホストコンピュータの接続先アドレス情報を携帯電話機に送信する送信手段とを備える。
【０００７】
このとき、携帯電話機は、自己の携帯電話機を特定するための携帯電話機特定情報を接続管理サーバに送信する第１送信手段と、クライアント端末の接続可能な記憶領域を有するホストコンピュータの通信ネットワーク上における接続先アドレス情報を接続管理サーバから受信する第１受信手段と、自己の携帯電話機とクライアント端末との間で確立された近距離通信手段を通じて、第１受信手段が受信した接続先アドレス情報をクライアント端末に送信する第２送信手段とを備える。
【０００８】
このような本発明の通信方法、接続管理サーバ及び携帯電話機によれば、接続管理サーバの特定手段が携帯電話機特定情報に基づいてクライアント端末の接続可能な記憶領域を有するホストコンピュータを特定する。次に、接続管理サーバの送信手段が上記ホストコンピュータの通信ネットワーク上における接続先アドレス情報を携帯電話機に送信する。そして、携帯電話機の第２送信手段が上記ホストコンピュータの接続先アドレス情報をクライアント端末に送信する。
【０００９】
このような一連の動作により、クライアント端末は自己端末の接続できるホストコンピュータの接続先アドレス情報を取得することができるので、クライアント端末は内部にホストコンピュータの接続先アドレス情報を常に保存しなくても、接続の都度に携帯電話機から送信される上記ホストコンピュータの接続先アドレス情報に基づいて、当該ホストコンピュータに容易にアクセスすることができる。
【００１０】
また、上述したような一連の動作が行われることで、クライアント端末は、ホストコンピュータの記憶領域に接続可能となるので、クライアント端末は、自己端末の内部に記憶領域を設けなくても、参照可能な記憶領域を外部に確保できることとなる。
【００１１】
また、本発明の通信方法は、携帯電話機を特定するための携帯電話機特定情報が当該携帯電話機から接続管理サーバに送信される第１ステップと、第１ステップにて接続管理サーバに受信された携帯電話機特定情報に基づいて、当該携帯電話機特定情報に対応して予め保持された通信ネットワーク上の接続先アドレス情報が読み出されることによって、クライアント端末が携帯電話機を経由して接続可能な記憶領域を有するホストコンピュータが接続管理サーバにより特定される第２ステップと、第２ステップにて特定されたホストコンピュータの第１の接続先アドレス情報が接続管理サーバから携帯電話機に送信される第３ステップと、携帯電話機とクライアント端末の間で確立された近距離通信手段を通じて、携帯電話機の第２の接続先アドレス情報が当該携帯電話機からクライアント端末に送信される第６ステップと、第３ステップにて携帯電話機に受信された第１の接続先アドレス情報及び第６ステップにてクライアント端末に受信された第２の接続先アドレス情報を元に、クライアント端末とホストコンピュータとが携帯電話機を経由して通信ネットワーク上で接続される第７ステップとを備える。
【００１２】
このとき、接続管理サーバは、クライアント端末の接続可能な記憶領域を有するホストコンピュータの通信ネットワーク上の接続先アドレス情報を、携帯電話機を特定するための携帯電話機特定情報に対応して予め保持する格納手段と、携帯電話機特定情報を携帯電話機から受信する受信手段と、受信手段が受信した携帯電話機特定情報に基づいて格納手段に保持された接続先アドレス情報を読み出すことによって、ホストコンピュータを特定する特定手段と、特定手段が特定したホストコンピュータの接続先アドレス情報を携帯電話機に送信する送信手段とを備える。
【００１３】
このとき、携帯電話機は、自己の携帯電話機を特定するための携帯電話機特定情報を接続管理サーバに送信する第１送信手段と、クライアント端末の接続可能な記憶領域を有するホストコンピュータの通信ネットワーク上における第１の接続先アドレス情報を接続管理サーバから受信する第１受信手段と、自己の携帯電話機とクライアント端末との間で確立された近距離通信手段を通じて、自己の携帯電話機の通信ネットワーク上における第２の接続先アドレス情報をクライアント端末に送信する第３送信手段と、第３送信手段が送信した第２の接続先アドレス情報に基づいてクライアント端末から送信されたデータを、第１受信手段が受信した第１の接続先アドレス情報に基づいてホストコンピュータに転送する転送手段とを備える。
【００１４】
このような本発明の通信方法、接続管理サーバ及び携帯電話機によれば、接続管理サーバの特定手段が携帯電話機特定情報に基づいてクライアント端末が携帯電話機を経由して接続可能な記憶領域を有するホストコンピュータを特定する。次に、接続管理サーバの送信手段が上記ホストコンピュータの接続先アドレス情報を携帯電話機に送信する。そして、携帯電話機の第３送信手段が自己の携帯電話機の接続先アドレス情報をクライアント端末に送信する。
【００１５】
このような一連の動作により、携帯電話機は自己端末の接続できるホストコンピュータの接続先アドレス情報を取得することとなり、クライアント端末は自己端末の接続できる携帯電話機の接続先アドレス情報を取得することとなる。このため、携帯電話機を経由して、クライアント端末は当該ホストコンピュータに容易にアクセスすることができる。
【００１６】
すなわち、クライアント端末は、ホストコンピュータの接続先アドレス情報を知らなくても、携帯電話機を経由することで、ホストコンピュータに容易にアクセスすることができる。このとき、携帯電話機は、クライアント端末から送信されるデータをホストコンピュータに転送する。
【００１７】
また、クライアント端末は、内部に携帯電話機の接続先アドレス情報を常に保存しなくても、接続の都度に携帯電話機から送信される当該携帯電話機の接続先アドレス情報に基づいて、当該携帯電話機に容易にアクセスすることができる。
【００１８】
さらに、クライアント端末は、ホストコンピュータの記憶領域に携帯電話機を経由して間接的に接続可能となる。このため、クライアント端末は、自己端末の内部に記憶領域を設けなくても、携帯電話機を経由して参照可能な記憶領域を外部に確保できることとなる。
【発明の効果】
【００１９】
本発明によれば、内部に記憶領域を有しておらずホストコンピュータから遠隔に位置するクライアント端末を通じて当該ホストコンピュータに接続するときの利便性を高めることが可能となる。
【発明を実施するための最良の形態】
【００２０】
以下、添付図面を参照して本発明にかかる通信システムの好適な実施形態を詳細に説明する。なお、図面の説明において同一の要素には同一の符号を付し、重複する説明を省略する。
【００２１】
［第１実施形態］
先ず、本発明の実施形態に係る通信システム１の基本的な構成について、図１を参照しながら説明する。図１は通信システム１の構成概要図である。図１に示すように、通信システム１は、携帯電話機１０、接続管理サーバ２０、ホストＰＣ（ホストコンピュータ）３０，３１等及びシンクライアント（クライアント端末）４０を備えて構成される。以下、通信システム１の各構成要素について詳しく説明する。
【００２２】
携帯電話機１０は、無線でデータ通信を行うことが可能な携帯電話通信端末である。第１実施形態における携帯電話機１０は、通信網５０を介して、接続管理サーバ２０と通信可能なように構成されている。通信網５０は、第１実施形態においては、例えばＰＤＣ（Ｐｅｒｓｏｎａｌ  Ｄｉｇｉｔａｌ  Ｃｅｌｌｕｌａｒ）網、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）２０００網等の携帯電話網である。また、携帯電話機１０は、近距離通信（近距離通信手段）６０を用いて、シンクライアント４０と通信可能なように構成されている。近距離通信６０としては、第１実施形態においては、例えば非接触ＩＣカード通信やＢｌｕｅｔｏｏｔｈ（登録商標）などが用いられる。このような携帯電話機１０は、図１に示すように、第１送信部（第１送信手段）１０１、第１受信部（第１受信手段）１０２及び第２送信部（第２送信手段）１０３を備える。以下、携帯電話機１０の各構成要素について詳しく説明する。
【００２３】
第１送信部１０１は、通信網５０を通じて接続管理サーバ２０にＨＴＴＰ（Ｈｙｐｅｒ  Ｔｅｘｔ  Ｔｒａｎｓｆｅｒ  Ｐｒｏｔｏｃｏｌ）通信によりアクセスし、自己端末の携帯電話機１０を特定するための携帯電話機特定情報を接続管理サーバ２０に送信するものである。携帯電話機特定情報としては、例えば電話番号といった携帯電話機１０の固体識別番号、接続管理サーバ２０にＨＴＴＰ通信によりアクセスするためのパスワード、電子署名、及びこれらの組み合わせなどが用いられる。
【００２４】
第１受信部１０２は、ホストＰＣ３０，３１等の中で、シンクライアント４０の接続可能なホストＰＣ（後述するように、第１実施形態においてはホストＰＣ３０とする。）の通信網（通信ネットワーク）７０上における接続先アドレス情報を接続管理サーバ２０から受信するものである。この接続先アドレス情報には、ホストＰＣ３０の通信網７０上のネットワークアドレス及びホストＰＣ３０に接続するための認証情報等が含まれる。ネットワークアドレスを用いることで、通信網７０上でホストＰＣ３０を特定することができる。また、認証情報としては、例えば時限制限付きの情報など、第１送信部１０１が接続管理サーバ２０にＨＴＴＰ通信によりアクセスするたびに更新されるものを用いることで、より高いセキュリティを実現する。なお、通信網７０は、シンクライアント４０とホストＰＣ３０とが通信可能なように設けられた通信網として、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などが用いられる。第１受信部１０２は、受信したホストＰＣ３０の接続先アドレス情報を第２送信部１０３に出力する。
【００２５】
第２送信部１０３は、第１受信部１０２から入力されたホストＰＣ３０の接続先アドレス情報をシンクライアント４０に送信するものである。このとき、第２送信部１０３は、自己の携帯電話機１０とシンクライアント４０との間で確立された近距離通信６０を用いて、ホストＰＣ３０の接続先アドレス情報を送信する。すなわち、第２送信部１０３は、近距離通信６０を通じてシンクライアント４０とデータ通信が可能なように構成されており、例えばユーザが携帯電話機１０の本体をシンクライアント４０に近づけることでデータ通信が行われる。
【００２６】
接続管理サーバ２０は、携帯電話機１０から受信した携帯電話機特定情報に基づいて、当該携帯電話機特定情報に対応するホストＰＣを特定し（つまり携帯電話機１０のユーザがシンクライアント４０を通じて利用可能なホストＰＣを特定し）、その旨を携帯電話機１０に知らせるものである。この接続管理サーバ２０は、物理的な構成要素として、ＣＰＵ、メモリ、通信インタフェイス、ハードディスクといった格納部等を備えたコンピュータシステムである。
【００２７】
第１実施形態における接続管理サーバ２０は、通信網５０を介して携帯電話機１０と通信可能なように構成されている。また、接続管理サーバ２０は、通信網８０を介して、ホストＰＣ３０，３１等と通信可能なように構成されている。通信網８０は、第１実施形態においては、例えばＬＡＮ、ＷＡＮなどである。接続管理サーバ２０は、機能的な構成要素として、格納部（格納手段）２０１、受信部（受信手段）２０２、特定部（特定手段）２０３及び送信部（送信手段）２０４を備える。以下、接続管理サーバ２０の各構成要素について詳しく説明する。
【００２８】
格納部２０１は、ホストＰＣ３０，３１等の通信網７０上における接続先アドレス情報が、携帯電話機特定情報に対応して予め保持されているものである。図２は、格納部２０１に格納された携帯電話機特定情報、ホストＰＣ特定情報及び当該ホストＰＣへの接続先アドレス情報のイメージを示す図である。なお、図２においては、携帯電話機特定情報として固体番号を用い、ホストＰＣへの接続先アドレス情報として通信網７０上におけるＩＰアドレス（Ｉｎｔｅｒｎｅｔ  Ｐｒｏｔｏｃｏｌ  Ａｄｄｒｅｓｓ）を用いる。図２に示すように、固体番号０９０ｘｘｘ１１１１の携帯電話機は接続先アドレスｘｘｘ．ｘｘｘ．ｘｘｘ．１１１のホストＰＣ３０に対応しており、固体番号０９０ｘｘｘ２２２２の携帯電話機は接続先アドレスｘｘｘ．ｘｘｘ．ｘｘｘ．２２２のホストＰＣ３１に対応している。
【００２９】
受信部２０２は、携帯電話機特定情報を携帯電話機１０から受信するものである。受信部２０２は、受信した携帯電話機特定情報を特定部２０３に出力する。
【００３０】
特定部２０３は、受信部２０２から入力された携帯電話機特定情報に基づいて、携帯電話機１０のユーザの利用可能なホストＰＣをホストＰＣ３０，３１等の中から特定するものである。特定部２０３は、例えば上記図２に示すデータベースに格納されている情報を読み出すことによって、携帯電話機１０のユーザの利用可能なホストＰＣを特定し（つまり当該携帯電話機特定情報に関連づけられたホストＰＣを特定する情報を上記データベースから検索し）、当該ホストＰＣへの通信網７０上における接続先アドレス情報を送信部２０４に出力する。
【００３１】
以下では、特定部２０３により特定されたホストＰＣをホストＰＣ３０とする。すなわち、受信部２０２は固体番号０９０ｘｘｘ１１１１を携帯電話機特定情報として特定部２０３に出力し、特定部２０３は、図２に示すデータベースを読み出すことによって、ホストＰＣ３０を特定し、当該ホストＰＣ３０への接続先アドレス情報としてｘｘｘ．ｘｘｘ．ｘｘｘ．１１１を送信部２０４に出力する。また、特定部２０３は、例えば特定したホストＰＣ３０に電源が入ってないときには電源を入れるコマンドをホストＰＣ３０に送信するなど、ホストＰＣ３０がシンクライアント４０からの接続にスタンバイするようにコントロールする。
【００３２】
送信部２０４は、特定部２０３から入力されたホストＰＣ３０への接続先アドレス情報ｘｘｘ．ｘｘｘ．ｘｘｘ．１１１を携帯電話機１０に送信するものである。
【００３３】
ホストＰＣ３０，３１等は、携帯電話機１０のユーザがシンクライアント４０を通じて接続可能なホストコンピュータであり、物理的な構成要素としてＣＰＵ、メモリ、通信インタフェイス、ハードディスクといった格納部等を備えたコンピュータシステムである。また、後述するように、携帯電話機１０のユーザはシンクライアント４０を通じてホストＰＣ３０，３１等に接続し、当該ホストＰＣの格納部３０３，３１３等に格納されているデータを利用するほか、当該ホストＰＣの演算部３０２，３１２等を用いて各種処理をすることなどができる。なお、説明を簡略にするために、通信システム１はホストＰＣ３０とホストＰＣ３１の２台をホストＰＣとして備えている。
【００３４】
第１実施形態におけるホストＰＣ３０，３１等は、通信網８０を介して、接続管理サーバ２０と通信可能なように構成されている。また、ホストＰＣ３０，３１等は、例えばＬＡＮ、ＷＡＮなどで構成される通信網７０を介して、シンクライアント４０と通信可能なように構成されている。このようなホストＰＣ３０，３１等は、機能的な構成要素として、接続部３０１，３１１等、演算部３０２，３１２等及び格納部３０３，３１３等を備える。
【００３５】
接続部３０１，３１１等は、通信網７０を通じて、シンクライアント４０とデータ通信を行うものである。接続部３０１，３１１等は、まず、シンクライアント４０から送信される接続先アドレス情報を確認して、シンクライアント４０からの通信接続を許可するか否かを判断する。すなわち、例えばシンクライアント４０から送信されてきた接続先アドレス情報と自己の保持しているアドレス情報とを比較し、二つのアドレス情報が互いに一致する場合のみに、シンクライアント４０とデータ通信を開始する。
【００３６】
接続部３０１，３１１等は、例えばシンクライアント４０からデータの送信要求を受けてその旨を表す情報を演算部３０２，３１２等に出力する。そして、演算部３０２，３１２等は、格納部３０３，３１３等を検索してみつけた所望のデータを接続部３０１，３１１等に出力し、接続部３０１，３１１等は上記データをシンクライアント４０に送信する。
【００３７】
また、接続部３０１，３１１等は、例えばシンクライアント４０から演算要求を受けてその旨を表す情報を演算部３０２，３１２等に出力する。次に、演算部３０２，３１２等は上記演算要求に応じて演算を行い、演算した結果を接続部３０１，３１１等に出力する。そして、接続部３０１，３１１等は上記演算結果をシンクライアント４０に送信する。
【００３８】
シンクライアント４０は、携帯電話機１０のユーザがホストＰＣ３０，３１等に接続するために利用する通信端末であり、物理的な構成要素として、マウス、キーボードといった入力装置、モニターといった出力装置、近距離通信インタフェイス等を備えて構成される。シンクライアント４０は、クライアント側の端末として動作するために最低限必要な容量のメモリ、ハードディスク等を備えるが、ユーザが作成または読み込ませたり、アプリケーションプログラムが作成したユーザデータを保存するための記憶領域を備えていない。
【００３９】
第１実施形態におけるシンクライアント４０は、近距離通信６０を用いて、携帯電話機１０と通信可能なように構成されている。また、シンクライアント４０は、通信網７０を介して、ホストＰＣ３０，３１等と通信可能なように構成されている。このようなシンクライアント４０は、機能的な構成要素として、受信部４０１、接続部４０２及び表示部４０３を備える。
【００４０】
受信部４０１は、近距離通信６０を用いて携帯電話機１０から送信されるホストＰＣ３０の接続先アドレス情報を受信するものである。受信部４０１は、受信したホストＰＣ３０の接続先アドレス情報を接続部４０２に出力する。
【００４１】
接続部４０２は、受信部４０１から入力されたホストＰＣ３０の接続先アドレス情報に基づいて、通信網７０を通じて当該ホストＰＣ３０に接続し、データ通信を行うものである。接続部４０２は、まず、受信部４０１から入力されたホストＰＣ３０の接続先アドレス情報を当該ホストＰＣ３０に送信することで、上記接続先アドレス情報に対する認証をホストＰＣ３０に要求する。上述したように、接続部４０２が送信した接続先アドレス情報とホストＰＣ３０が保持しているアドレス情報とが互いに一致する場合には、通信接続を許可する旨を表す情報がホストＰＣ３０から送信される。そして、接続部４０２は、ホストＰＣ３０に例えばデータの送信または演算を要求し、ホストＰＣ３０から送信されるデータまたは演算結果を受信する。接続部４０２は、ホストＰＣ３０から受信したデータまたは演算結果を表示部４０３に出力する。
【００４２】
表示部４０３は、接続部４０２から入力されたデータを表示するものであり、例えばモニター等のディスプレイ装置で構成される。
【００４３】
続いて、通信システム１により行われる動作（通信方法）について、図３及び図４を参照しながら説明する。以下、携帯電話機１０のユーザがシンクライアント４０を用いてホストＰＣ３０に接続するプロセスについて段階別に説明する。
【００４４】
図３は、通信システム１を構成する各構成要素間の通信方式をまとめた図である。図３に示すように、携帯電話機１０と接続管理サーバ２０とは、通信網５０を介して互いに通信可能なように構成されている。また、シンクライアント４０と携帯電話機１０とは、近距離通信６０を用いて互いに通信可能なように構成されている。また、接続管理サーバ２０とホストＰＣ３０とは、通信網８０を介して互いに通信可能なように構成されている。また、シンクライアント４０とホストＰＣ３０とは、通信網７０を介して互いに通信可能なように構成されている。
【００４５】
図４は通信システム１の動作を示すシーケンス図である。まず、ユーザにより、携帯電話機１０が、通信網５０を通じて接続管理サーバ２０にＨＴＴＰ通信によりアクセスし、自己端末の携帯電話機１０を特定するための携帯電話機特定情報を接続管理サーバ２０に送信する（ステップＳ１）。
【００４６】
次に、接続管理サーバ２０が、ステップＳ１にて送信されてきた携帯電話機特定情報を受信し、例えば図２に示すようなデータベースの情報を読み出すことによって、ホストＰＣ３０，３１等の中から、ユーザがシンクライアント４０を通じて利用可能なホストＰＣとしてホストＰＣ３０を特定する（ステップＳ２）。
【００４７】
次に、接続管理サーバ２０は、ステップＳ２にて特定したホストＰＣ３０の通信網７０上における接続先アドレス情報を携帯電話機１０に送信する（ステップＳ３）。
【００４８】
次に、携帯電話機１０が、シンクライアント４０との間で確立された近距離通信６０を通じて、ステップＳ３にて接続管理サーバ２０から送信されてきたホストＰＣ３０の接続先アドレス情報をシンクライアント４０に送信する（ステップＳ４）。
【００４９】
次に、シンクライアント４０が、ホストＰＣ３０にアクセスするための認証を要求する。この動作は、ステップＳ４にて送信されてきたホストＰＣ３０の接続先アドレス情報を当該ホストＰＣ３０に送信することで行われえる（ステップＳ５）。
【００５０】
次に、ホストＰＣ３０が、ステップＳ５にて送信されてきた接続先アドレス情報と自己の保持しているアドレス情報とを比較することで、シンクライアント４０から送信されてきた接続先アドレス情報に対する認証を行う（ステップＳ６）。
【００５１】
次に、ステップＳ６の認証にて、二つのアドレス情報が互いに一致する場合に、シンクライアント４０からの接続を許可する旨を表す情報を認証応答としてシンクライアント４０に送信する（ステップＳ７）。
【００５２】
次に、ステップＳ７にてシンクライアント４０が接続を許可する旨を表す情報をホストＰＣ３０から受信すると、シンクライアント４０とホストＰＣ３０との間のデータ送受信が開始される（ステップＳ８）。図示はしないが、ステップＳ７にて二つのアドレス情報が互いに一致しない場合に、ホストＰＣ３０は、シンクライアント４０からの接続を許可しない旨を表す情報を認証応答としてシンクライアント４０に送信し、シンクライアント４０とホストＰＣ３０との間のデータ送受信は開始されない。
【００５３】
続いて、第１実施形態にかかる通信システム１及び通信方法の作用及び効果について説明する。上述した通信方法、そしてこの通信方法に用いられる携帯電話機１０、接続管理サーバ２０、ホストＰＣ３０，３１等、及び、シンクライアント４０によれば、接続管理サーバ２０の特定部２０３が携帯電話機特定情報に基づいてシンクライアント４０の接続可能なホストコンピュータとしてホストＰＣ３０を特定する。次に、接続管理サーバ２０の送信部２０４が上記ホストＰＣ３０の接続先アドレス情報を携帯電話機１０に送信する。そして、携帯電話機１０の第２送信部１０３が上記ホストＰＣ３０の接続先アドレス情報をシンクライアント４０に送信する。
【００５４】
このような一連の動作により、シンクライアント４０は、自己端末の接続できるホストＰＣ３０の接続先アドレス情報を取得することができるので、シンクライアント４０は、内部にホストＰＣ３０の接続先アドレス情報を常に保存しなくても、接続の都度に携帯電話機１０から送信されるホストＰＣ３０の接続先アドレス情報に基づいて、当該ホストＰＣ３０に容易にアクセスすることができる。すなわち、第１実施形態によれば、内部に記憶領域を有しておらずホストＰＣ３０から遠隔に位置するシンクライアント４０を通じて当該ホストＰＣ３０に接続するときの利便性を高めることが可能となる。
【００５５】
また、第１実施形態によれば、シンクライアント４０はホストＰＣ３０の記憶領域に接続可能となるので、シンクライアント４０は自己端末の内部に記憶領域を設けなくても、参照可能な記憶領域を外部に確保できることとなる。このため、例えばシンクライアント４０が紛失または盗難された場合に、シンクライアント４０で扱われる情報の漏洩を防止することが可能となる。
【００５６】
［第２実施形態］
引き続いて、本発明の実施形態に係る通信システム２の基本的な構成について、図５を参照しながら説明する。図５は通信システム２の構成概要図である。図５に示すように、通信システム２は、携帯電話機１０、接続管理サーバ２０、ホストＰＣ（ホストコンピュータ）３０，３１等、及び、シンクライアント（クライアント端末）４０を備えて構成される。以下、通信システム２の各構成要素について詳しく説明する。
【００５７】
携帯電話機１０は、無線でデータ通信を行うことが可能な携帯電話通信端末である。第２実施形態における携帯電話機１０は、通信網５０を介して、接続管理サーバ２０と通信可能なように構成されている。通信網５０は、第２実施形態においては、例えばＰＤＣ網、ＩＭＴ２０００網等の携帯電話網である。また、携帯電話機１０は、近距離通信（近距離通信手段）６０を用いて、シンクライアント４０と通信可能なように構成されている。近距離通信６０としては、第１実施形態においては、例えば非接触ＩＣカード通信やＢｌｕｅｔｏｏｔｈ（登録商標）などが用いられる。また、携帯電話機１０は、通信網（通信ネットワーク）９０を介して、シンクライアント４０、及び、ホストＰＣ３０，３１等と通信可能なように構成されている。通信網９０として、第２実施形態においては、例えば無線ＬＡＮを採択している。
【００５８】
このような携帯電話機１０は、図５に示すように、第１送信部（第１送信手段）１０１、第１受信部（第１受信手段）１０２、第３送信部（第３送信手段）１０４及び転送部（転送手段）１０５を備える。以下、携帯電話機１０の各構成要素について詳しく説明する。
【００５９】
第１送信部１０１は、通信網５０を通じて接続管理サーバ２０にＨＴＴＰ通信によりアクセスし、自己端末の携帯電話機１０を特定するための携帯電話機特定情報を接続管理サーバ２０に送信するものである。携帯電話機特定情報としては、例えば電話番号といった携帯電話機１０の固体識別番号、接続管理サーバ２０にＨＴＴＰ通信によりアクセスするためのパスワード、電子署名、及びこれらの組み合わせなどが用いられる。
【００６０】
第１受信部１０２は、ホストＰＣ３０，３１等の中で、携帯電話機１０を経由してシンクライアント４０が接続可能なホストＰＣ（後述するように、第２実施形態においてはホストＰＣ３０とする。）の通信網９０上における接続先アドレス情報（第１の接続先アドレス情報）を接続管理サーバ２０から受信するものである。この接続先アドレス情報には、ホストＰＣ３０の通信網９０上のネットワークアドレス及びホストＰＣ３０に接続するための認証情報等が含まれる。ネットワークアドレスを用いることで、通信網９０上でホストＰＣ３０を特定することができる。また、認証情報としては、例えば時限制限付きの情報など、第１送信部１０１が接続管理サーバ２０にＨＴＴＰ通信によりアクセスするたびに更新されるものを用いることで、より高いセキュリティを実現する。第１受信部１０２は、受信したホストＰＣ３０の接続先アドレス情報を転送部１０５に出力する。
【００６１】
第３送信部１０４は、自己端末の携帯電話機１０の通信網９０上における接続先アドレス情報（第２の接続先アドレス情報）をシンクライアント４０に送信するものである。このとき、第３送信部１０４は、自己の携帯電話機１０とシンクライアント４０との間で確立された近距離通信６０を用いて、自己端末の接続先アドレス情報を送信する。すなわち、第３送信部１０４は、近距離通信６０を通じてシンクライアント４０とデータ通信が可能なように構成されており、例えばユーザが携帯電話機１０の本体をシンクライアント４０に近づけることでデータ通信が行われる。
【００６２】
転送部１０５は、通信網９０を通じて、シンクライアント４０とホストＰＣ３０との間でデータの転送を行うものである。すなわち、転送部１０５は、第１受信部１０２から入力されたホストＰＣ３０の接続先アドレス情報に基づいて、シンクライアント４０から送信されるデータを上記ホストＰＣ３０に転送する。また、転送部１０５は、例えばシンクライアント４０からホストＰＣ３０にデータを転送するときにシンクライアント４０の接続先アドレス情報を取得し、その接続先アドレス情報に基づいて、ホストＰＣ３０から送信されるデータをシンクライアント４０に転送する。
【００６３】
また、転送部１０５は、シンクライアント４０からの認証要求をホストＰＣ３０に転送する。具体的には、シンクライアント４０が携帯電話機１０の通信網９０上における接続先アドレス情報を転送部１０５に送信することで、ホストＰＣ３０へ接続するための認証を要求する。次に、転送部１０５は、上記送信されてきた接続先アドレス情報と自己端末のアドレス情報とが互いに一致する場合に、第１受信部１０２から入力されたホストＰＣ３０の接続先アドレス情報をホストＰＣ３０に送信することで、シンクライアント４０の認証要求をホストＰＣ３０に転送する。そして、後述するように、ホストＰＣ３０は転送部１０５から受信された接続先アドレス情報に対して認証を行う。
【００６４】
接続管理サーバ２０は、携帯電話機１０から受信した携帯電話機特定情報に基づいて、当該携帯電話機特定情報に対応するホストＰＣを特定し（つまりユーザがシンクライアント４０及び携帯電話機１０を通じて利用可能なホストＰＣを特定し）、その旨を携帯電話機１０に知らせるものである。この接続管理サーバ２０は、物理的な構成要素として、ＣＰＵ、メモリ、通信インタフェイス、ハードディスクといった格納部等を備えたコンピュータシステムである。
【００６５】
第２実施形態における接続管理サーバ２０は、通信網５０を介して携帯電話機１０と通信可能なように構成されている。また、接続管理サーバ２０は、通信網８０を介して、ホストＰＣ３０，３１等と通信可能なように構成されている。通信網８０は、第２実施形態においては、例えばＬＡＮ、ＷＡＮなどである。接続管理サーバ２０は、機能的な構成要素として、格納部（格納手段）２０１、受信部（受信手段）２０２、特定部（特定手段）２０３及び送信部（送信手段）２０４を備える。以下、接続管理サーバ２０の各構成要素について詳しく説明する。
【００６６】
格納部２０１は、ホストＰＣ３０，３１等の通信網９０上における接続先アドレス情報が、携帯電話機特定情報に対応して予め保持されているものである。図２は、格納部２０１に格納された携帯電話機特定情報、ホストＰＣ特定情報及び当該ホストＰＣへの接続先アドレス情報のイメージを示す図である。なお、図２においては、携帯電話機特定情報として固体番号を用い、ホストＰＣへの接続先アドレス情報として通信網９０上におけるＩＰアドレスを用いる。図２に示すように、固体番号０９０ｘｘｘ１１１１の携帯電話機は接続先アドレスｘｘｘ．ｘｘｘ．ｘｘｘ．１１１のホストＰＣ３０に対応しており、固体番号０９０ｘｘｘ２２２２の携帯電話機は接続先アドレスｘｘｘ．ｘｘｘ．ｘｘｘ．２２２のホストＰＣ３１に対応している。
【００６７】
受信部２０２は、携帯電話機特定情報を携帯電話機１０から受信するものである。受信部２０２は、受信した携帯電話機特定情報を特定部２０３に出力する。
【００６８】
特定部２０３は、受信部２０２から入力された携帯電話機特定情報に基づいて、携帯電話機１０のユーザの利用可能なホストＰＣをホストＰＣ３０，３１等の中から特定するものである。特定部２０３は、例えば上記図２に示すデータベースに格納されている情報を読み出すことによって、携帯電話機１０のユーザの利用可能なホストＰＣを特定し（つまり当該携帯電話機特定情報に関連づけられたホストＰＣを特定する情報を上記データベースから検索し）、当該ホストＰＣへの通信網７０上における接続先アドレス情報を送信部２０４に出力する。
【００６９】
以下では、特定部２０３により特定されたホストＰＣをホストＰＣ３０とする。すなわち、受信部２０２は固体番号０９０ｘｘｘ１１１１を携帯電話機特定情報として特定部２０３に出力し、特定部２０３は、図２に示すデータベースを読み出すことによって、ホストＰＣ３０を特定し、当該ホストＰＣ３０への接続先アドレス情報としてｘｘｘ．ｘｘｘ．ｘｘｘ．１１１を送信部２０４に出力する。また、特定部２０３は、例えば特定したホストＰＣ３０に電源が入ってないときには電源を入れるコマンドをホストＰＣ３０に送信するなど、ホストＰＣ３０がシンクライアント４０からの接続にスタンバイするようにコントロールする。
【００７０】
送信部２０４は、特定部２０３から入力されたホストＰＣ３０への接続先アドレス情報ｘｘｘ．ｘｘｘ．ｘｘｘ．１１１を携帯電話機１０に送信するものである。
【００７１】
ホストＰＣ３０，３１等は、シンクライアント４０が携帯電話機１０を経由して接続可能なホストコンピュータであり、物理的な構成要素としてＣＰＵ、メモリ、通信インタフェイス、ハードディスクといった格納部等を備えたコンピュータシステムである。また、後述するように、ユーザは、シンクライアント４０及び携帯電話機１０を通じてホストＰＣ３０，３１等に接続し、当該ホストＰＣの格納部３０３，３１３等に格納されているデータを利用するほか、当該ホストＰＣの演算部３０２，３１２等を用いて各種処理をすることなどができる。なお、説明を簡略にするために、通信システム２はホストＰＣ３０とホストＰＣ３１の２台をホストＰＣとして備えている。
【００７２】
第２実施形態におけるホストＰＣ３０，３１等は、通信網８０を介して、接続管理サーバ２０と通信可能なように構成されている。また、ホストＰＣ３０，３１等は、例えば無線ＬＡＮで構成される通信網９０を介して、携帯電話機１０と通信可能なように構成されている。このようなホストＰＣ３０，３１等は、機能的な構成要素として、接続部３０１，３１１等、演算部３０２，３１２等及び格納部３０３，３１３等を備える。
【００７３】
接続部３０１，３１１等は、通信網９０を通じて、更に携帯電話機１０を経由して、シンクライアント４０とデータ通信を行うものである。接続部３０１，３１１等は、まず、携帯電話機１０から送信される接続先アドレス情報を確認して、シンクライアント４０からの通信接続を許可するか否かを判断する。すなわち、例えば携帯電話機１０から送信されてきた接続先アドレス情報（ホストＰＣ３０への接続先アドレス情報として、接続管理サーバ２０が携帯電話機１０に送信した接続先アドレス情報）と自己の保持しているアドレス情報とを比較し、二つのアドレス情報が互いに一致する場合のみに、シンクライアント４０とのデータ通信を開始する。
【００７４】
接続部３０１，３１１等は、例えば、携帯電話機１０の転送部１０５を経由してシンクライアント４０からデータの送信要求を受けると、その旨を表す情報を演算部３０２，３１２等に出力する。そして、演算部３０２，３１２等は、格納部３０３，３１３等を検索してみつけた所望のデータを接続部３０１，３１１等に出力し、接続部３０１，３１１等は上記データを携帯電話機１０の転送部１０５を経由してシンクライアント４０に送信する。
【００７５】
また、接続部３０１，３１１等は、例えば、携帯電話機１０の転送部１０５を経由してシンクライアント４０から演算要求を受けると、その旨を表す情報を演算部３０２，３１２等に出力する。次に、演算部３０２，３１２等は上記演算要求に応じて演算を行い、演算した結果を接続部３０１，３１１等に出力する。そして、接続部３０１，３１１等は上記演算結果を携帯電話機１０の転送部１０５を経由してシンクライアント４０に送信する。
【００７６】
シンクライアント４０は、携帯電話機１０のユーザがホストＰＣ３０，３１等に接続するために利用する通信端末であり、物理的な構成要素として、マウス、キーボードといった入力装置、モニターといった出力装置、近距離通信インタフェイス等を備えて構成される。シンクライアント４０は、クライアント側の端末として動作するために最低限必要な容量のメモリ、ハードディスク等を備えるが、ユーザが作成または読み込ませたり、アプリケーションプログラムが作成したユーザデータを保存するための記憶領域を備えていない。
【００７７】
第２実施形態におけるシンクライアント４０は、近距離通信６０を用いて、携帯電話機１０と通信可能なように構成されている。また、シンクライアント４０は、通信網９０を通じて、更に携帯電話機１０を経由して、ホストＰＣ３０，３１等と通信可能なように構成されている。このようなシンクライアント４０は、機能的な構成要素として、受信部４０１、接続部４０２及び表示部４０３を備える。
【００７８】
受信部４０１は、近距離通信６０を用いて携帯電話機１０から送信される当該携帯電話機１０の接続先アドレス情報を受信するものである。受信部４０１は、受信した携帯電話機１０の接続先アドレス情報を接続部４０２に出力する。
【００７９】
接続部４０２は、受信部４０１から入力された携帯電話機１０の接続先アドレス情報に基づいて当該携帯電話機１０とデータ通信を行うことで、結果的にはホストＰＣ３０とのデータ通信を行うものである。このデータ通信に先立って、接続部４０２は、まず、受信部４０１から入力された携帯電話機１０の接続先アドレス情報を当該携帯電話機１０に送り返すことで、携帯電話機１０を経由してホストＰＣ３０に接続するための認証を要求する。上述したように、ホストＰＣ３０により、この認証が成立した場合には、通信接続を許可する旨を表す情報がホストＰＣ３０から携帯電話機１０の転送部１０５を経由して送信される。
【００８０】
ホストＰＣ３０により通信接続が許可されると、接続部４０２は、携帯電話機１０の転送部１０５を経由して、ホストＰＣ３０にデータの送信または演算を要求し、ホストＰＣ３０から送信されるデータまたは演算結果を携帯電話機１０の転送部１０５を経由して受信する。すなわち、接続部４０２は、携帯電話機１０の転送部１０５を経由することで、ホストＰＣ３０の通信網９０上における接続先アドレス情報を知らなくても、ホストＰＣ３０の格納部３０３に格納されているデータが参照可能となり、また演算部３０２に演算を要求することができる。接続部４０２は、携帯電話機１０の転送部１０５を経由してホストＰＣ３０から受信したデータまたは演算結果を表示部４０３に出力する。
【００８１】
表示部４０３は、接続部４０２から入力されたデータまたは演算結果を表示するものであり、例えばモニター等のディスプレイ装置で構成される。
【００８２】
続いて、通信システム２により行われる動作（通信方法）について、図６及び図７を参照しながら説明する。以下、ユーザがシンクライアント４０を用いてホストＰＣ３０に接続するプロセスについて段階別に説明する。
【００８３】
図６は、通信システム１を構成する各構成要素間の通信方式をまとめた図である。図６に示すように、携帯電話機１０と接続管理サーバ２０とは、通信網５０を介して互いに通信可能なように構成されている。また、シンクライアント４０と携帯電話機１０とは、近距離通信６０を用いて互いに通信可能なように構成されている。また、接続管理サーバ２０とホストＰＣ３０とは、通信網８０を介して互いに通信可能なように構成されている。また、シンクライアント４０と携帯電話機１０、及び、携帯電話機１０とホストＰＣ３０とは、通信網９０を介して互いに通信可能なように構成されている。
【００８４】
図７は通信システム２の動作を示すシーケンス図である。まず、ユーザにより、携帯電話機１０が、通信網５０を通じて接続管理サーバ２０にＨＴＴＰ通信によりアクセスし、自己端末の携帯電話機１０を特定するための携帯電話機特定情報を接続管理サーバ２０に送信する（ステップＳ１１）。
【００８５】
次に、接続管理サーバ２０が、ステップＳ１１にて送信された携帯電話機特定情報を受信し、例えば図２に示すようなデータベースの情報を読み出すことによって、ホストＰＣ３０，３１等の中から、ユーザがシンクライアント４０を通じて利用可能なホストＰＣとしてホストＰＣ３０を特定する（ステップＳ１２）。
【００８６】
次に、接続管理サーバ２０は、ステップＳ１２にて特定したホストＰＣ３０の通信網９０上における接続先アドレス情報を携帯電話機１０に送信する（ステップＳ１３）。
【００８７】
次に、携帯電話機１０が、シンクライアント４０との間で確立された近距離通信６０を通じて、自己端末の携帯電話機１０の通信網９０上における接続先アドレス情報をシンクライアント４０に送信する（ステップＳ１４）。
【００８８】
次に、シンクライアント４０が、ホストＰＣ３０にアクセスするための認証を要求する。この動作は、ステップＳ１４にて受信した携帯電話機１０の接続先アドレス情報を当該携帯電話機１０に送り返すことで行われる（ステップＳ１５）。
【００８９】
次に、携帯電話機１０は、ステップＳ１５にて送信されてきた接続先アドレス情報と自己端末のアドレス情報とが互いに一致する場合に、ステップＳ１３にて受信したホストＰＣ３０の接続先アドレス情報を当該ホストＰＣ３０に送信することで、シンクライアント４０の認証要求をホストＰＣ３０に転送する（ステップＳ１６）。図示はしないが、二つのアドレス情報が互いに一致しない場合に、携帯電話機１０は、シンクライアント４０の認証要求をホストＰＣ３０に転送しない。
【００９０】
次に、ホストＰＣ３０が、ステップＳ１６にて送信されてきた接続先アドレス情報と自己端末の保持しているアドレス情報とを比較することで、携帯電話機１０からの送信されてきた接続先アドレス情報に対する認証を行う（ステップＳ１７）。
【００９１】
次に、ステップＳ１７の認証にて、二つのアドレス情報が互いに一致する場合に、シンクライアント４０からの接続を許可する旨を表す情報を認証応答として携帯電話機１０に送信する（ステップＳ１８）。
【００９２】
次に、携帯電話機１０が、ステップＳ１８にてホストＰＣ３０から受信した認証応答をシンクライアント４０に転送する（ステップＳ１９）。
【００９３】
次に、ステップＳ１９にてシンクライアント４０が接続を許可する旨を表す情報をホストＰＣ３０から携帯電話機１０を経由して受信すると、シンクライアント４０とホストＰＣ３０との間のデータ送受信が携帯電話機１０を経由して開始される（ステップＳ２０）。図示はしないが、ステップＳ１８にて二つのアドレス情報が互いに一致しない場合に、ホストＰＣ３０は、シンクライアント４０からの接続を許可しない旨を表す情報を認証応答として携帯電話機１０を経由してシンクライアント４０に送信し、シンクライアント４０とホストＰＣ３０との間のデータ送受信は開始されない。
【００９４】
続いて、第２実施形態にかかる通信システム２及び通信方法の作用及び効果について説明する。上述した通信方法、そしてこの通信方法に用いられる携帯電話機１０、接続管理サーバ２０、ホストＰＣ３０，３１等、及び、シンクライアント４０によれば、接続管理サーバ２０の特定部２０３が携帯電話機特定情報に基づいてシンクライアント４０が携帯電話機１０を経由して接続可能なホストコンピュータとしてホストＰＣ３０を特定する。次に、接続管理サーバ２０の送信部２０４が上記ホストＰＣ３０の接続先アドレス情報を携帯電話機１０に送信する。そして、携帯電話機の第３送信部１０４が自己の携帯電話機１０の接続先アドレス情報をシンクライアント４０に送信する。
【００９５】
このような一連の動作により、携帯電話機１０は自己端末の接続できるホストＰＣ３０の接続先アドレス情報を取得することとなり、シンクライアント４０は自己端末の接続できる携帯電話機１０の接続先アドレス情報を取得することとなる。このため、携帯電話機１０を経由して、シンクライアント４０はホストＰＣ３０にアクセスすることができる。すなわち、シンクライアント４０は、ホストＰＣ３０の接続先アドレス情報を知らなくても、携帯電話機１０を経由することで、ホストＰＣ３０に容易にアクセスすることができる。このとき、携帯電話機１０は、シンクライアント４０から送信されるデータをホストＰＣ３０に転送し、ホストＰＣ３０から送信されるデータをシンクライアント４０に転送する。すなわち、第２実施形態によれば、内部に記憶領域を有しておらずホストＰＣ３０から遠隔に位置するシンクライアント４０を通じて、当該ホストＰＣ３０に接続するときの利便性を高めることが可能となる。
【００９６】
また、シンクライアント４０は、内部に携帯電話機１０の接続先アドレス情報を常に保存しなくても、接続の都度に携帯電話機１０から送信される当該携帯電話機１０の接続先アドレス情報に基づいて、当該携帯電話機１０に容易にアクセスすることができる。すなわち、第２実施形態によれば、内部に記憶領域を有していないシンクライアント４０を通じて当該携帯電話機１０に接続するときの利便性を高めることが可能となる。
【００９７】
さらに、シンクライアント４０は、ホストＰＣ３０の記憶領域に携帯電話機１０を経由して間接的に接続可能となる。このため、シンクライアント４０は、自己端末の内部に記憶領域を設けなくても、携帯電話機１０を経由して参照可能な記憶領域を外部に確保できることとなる。このため、例えばシンクライアント４０が紛失または盗難された場合に、シンクライアント４０で扱われる情報の漏洩を防止することが可能となる。
【００９８】
以上、本発明の好適な実施形態について説明したが、本発明は上記実施形態に限定されないことは言うまでもない。
【００９９】
例えば、上記実施形態においては、接続管理サーバ２０とホストＰＣ３０，３１等をそれぞれ個別のコンピュータシステムとして構成したが、接続管理サーバ２０とホストＰＣ３０，３１等とを一台のコンピュータシステムとして構成してもよい。
【図面の簡単な説明】
【０１００】
【図１】通信システム１の構成概要図である。
【図２】接続管理サーバ２０に格納された情報をイメージした図である。
【図３】通信システム１を構成する各構成要素間の通信方式をまとめた図である。
【図４】通信システム１の動作を示すシーケンス図である。
【図５】通信システム２の構成概要図である。
【図６】通信システム２を構成する各構成要素間の通信方式をまとめた図である。
【図７】通信システム２の動作を示すシーケンス図である。
【符号の説明】
【０１０１】
１，２…通信システム、１０…携帯電話機、２０…接続管理サーバ、３０，３１…ホストＰＣ、４０…シンクライアント。  
【図１】
0004643472.tif 000002
【図２】
0004643472.tif 000003
【図３】
0004643472.tif 000004
【図４】
0004643472.tif 000005
【図５】
0004643472.tif 000006
【図６】
0004643472.tif 000007
【図７】
0004643472.tif 000008